(57)【要約】【課題】良質水を安全且つ安価に所要の量だけ販売するための良質水販売システムを提供すること。【解決手段】ユーザ４１〜４ｎ、５１〜５ｎからの注文に応じた量の良質水を販売する良質水販売システムにおいて、販売事業体２は、販売に供される良質水の水質、取水場所での水質等の良質水情報を蓄積するための第１の記憶手段と、第１の記憶手段と結合され、ユーザに良質水情報をウェブページ上で閲覧させるための閲覧手段と、ウェブぺージに記入された、ユーザからの購入希望に関する注文情報を記憶するための第２の記憶手段とを有するコンピュータを備えており、注文情報に基づいて、購入を希望したユーザに対して良質水を配達し、良質水の配達を受けたユーザが所定の代金決済を行う。【選択図】　図１
2004013515.tif 000002
【特許請求の範囲】
【請求項１】
販売事業体がユーザからの注文に応じた量の良質水を販売する良質水販売システムであって、
前記販売事業体が、
販売に供される良質水の水質、取水場所での水質等の良質水情報を蓄積するための第１の記憶手段と、
前記第１の記憶手段と結合され、前記ユーザに前記良質水情報をウェブページ上で閲覧させるための閲覧手段と、
前記ウェブぺージに記入された、前記ユーザからの購入希望に関する注文情報を記憶するための第２の記憶手段と、
を有するコンピュータを備えており、
前記注文情報に基づいて、購入を希望した前記ユーザに対して前記良質水を配達し、前記良質水の配達を受けた前記ユーザが所定の代金決済を行うことを特徴とする良質水販売システム。
【請求項２】
請求項１記載のシステムであって、
前記販売事業体がボトリング工場を備えており、
前記コンピュータが、前記注文情報を前記ボトリング工場へ通知する通知手段を備える
ことを特徴とする良質水販売システム。
【請求項３】
請求項２記載の良質水販売システムであって、
前記ボトリング工場が、輸送会社に対して前記ユーザへの良質水の配達に関する指示を送る手段を有する
ことを特徴とする良質水販売システム。
【発明の詳細な説明】
【０００１】
【発明の属する技術分野】
本発明は、水質の良い水を安全且つ安価に販売するためのシステムに関する。なお、本発明において、「良質水」という言葉は、いわゆる「名水」と呼ばれるミネラル・ウォータや天然水ばかりでなく、水道水を浄化した浄化水等の、水質の良い水一般を含む広い概念として使用される。
【０００２】
なお、「おいしい水」とは人が飲んでおいしく感じる水のことであり、「おいしい水」であるか否かは、水温や飲み心地等に関する環境条件と、蒸発残留物や硬度等に関する水質要件とを含む水質基準から決めることができる。
【０００３】
【従来の技術】
水道水源の水質悪化に起因する水道水の水質低下が問題になっている。異臭味、トリハロメタンに加え、微量有機汚染物質やクリプトスポリジウム等、次々と新たな問題物質が現れ、それへの対応に追われているのが水道現場の現状である。これらの問題の中には、現行の浄水システムでは浄化困難な物質が存在するという問題が含まれている一方、塩素殺菌法のように浄水システムそのものが汚染物質を作り出す危険性をはらんでいるとの指摘もある。
【０００４】
このため、近年、多くの技術開発が行われ、新しい高度浄水システムが採用されつつあるが、導入費用の問題から、遅々として進んでいないのが実状である。一方、生活レベルが上がり、ゆとりができてくると、健康の維持向上を目指す傾向が強まり、国民一般に水道水の水質に関する関心が高まるにつれ、おいしい水道水を求めて中空糸膜や活性炭などの濾過機能を持つ材料を使用した家庭用浄水器が普及し、更に、飲料用、料理用、食品製造用等の種々の用途に使用するための機能・用途水の販売量が年々増加しているのが実状であり、個人レベルにおいて高度な浄化水や名水の使用を確保する行動も盛んに行われるようになった。
【０００５】
【発明が解決しようとする課題】
しかしながら、ペットボトルに詰められて販売されていることが多いミネラル・ウォータ等の名水は、現在では牛乳よりも高価であるばかりでなく、重いので輸送に不便であり、保管場所を必要とし、飲み水程度の限定的な範囲でしか利用することができず、一部では安全性が指摘されるなどの理由で、必ずしも需要者のニーズに充分応え得るものではなかった。
【０００６】
本発明は上記の課題を解決するために提案されたものであり、本発明の目的は、需要者が求める良質水を安全且つ安価に所要の量だけ販売するための良質水販売システムを提供することにある。
【０００７】
【課題を解決するための手段】
上記の目的を達成するため、請求項１の発明は、
販売事業体がユーザからの注文に応じた量の良質水を販売する良質水販売システムであって、
前記販売事業体が、
販売に供される良質水の水質、取水場所での水質等の良質水情報を蓄積するための第１の記憶手段と、
前記第１の記憶手段と結合され、前記ユーザに前記良質水情報をウェブページ上で閲覧させるための閲覧手段と、
前記ウェブぺージに記入された、前記ユーザからの購入希望に関する注文情報を記憶するための第２の記憶手段と、
を有するコンピュータを備えており、
前記注文情報に基づいて、購入を希望した前記ユーザに対して前記良質水を配達し、前記良質水の配達を受けた前記ユーザが所定の代金決済を行うことを特徴とする良質水販売システム、
を提供する。
【０００８】
請求項２の発明は、前記販売事業体がボトリング工場を備えており、前記コンピュータが、前記注文情報を前記ボトリング工場へ通知する通知手段を備えることを特徴とする。
【０００９】
請求項３の発明は、前記ボトリング工場が、輸送会社に対して前記ユーザへの良質水の配達に関する指示を送ることを特徴とする。
【００１０】
【発明の実施の形態】
図１は、本発明に係る良質水販売システムの一つの実施の形態の構成を概略的に示す図で、このシステムは販売会社１、ボトリング工場２、輸送会社３、複数のユーザ４１、４２、・・、４ｎ、５１、５２、・・、５ｎ、および、これらの要素を相互に接続するための高周波電気回線の一例であるインターネット６を含んでいる。なお、図示されていないが、必要に応じて銀行等の決済機関が設けられてもよい。
【００１１】
販売会社１は、山間部の表流水、地下水、トンネル水、海洋深層水等の天然水の水源や、いわゆる名水の水源から水を採取して販売する権利を有する機関で、水源の取水権や水利権を持っている。ここで、山間部の表流水とは、河川の上流の水、渓流水、沢水等であり、地下水の中には井戸水、湧水、伏流水等が含まれ、トンネル水には地底水が含まれる。
【００１２】
ボトリング工場２は、輸送会社３から搬入された種々の水に対して殺菌、精密濾過、および必要であれば成分調整を行って、ユーザ４１〜４ｎ、５１〜５ｎに対して販売する良質水を生産する。ボトリング工場２で生産された良質水は輸送会社３から所要のユーザに配達される。このための輸送手段としては、水輸送用のタンクを備えたトラックや、所定の容量のポリタンクを輸送できる通常のトラックでよい。場所によっては船を使うこともできる。
【００１３】
ユーザ４１〜４ｎ、５１〜５ｎは、例えば、良質水を飲用や炊事用に使用する個人４１〜４ｎばかりでなく、菓子、豆腐、味噌、醤油、酒等の食品の製造や、飲用、料理用等の各種用途に良質水を使用する事業体５１〜５ｎであり、その使用量に応じて、良質水を貯留しておくための小型の貯留タンク７１、７２、・・・・、７ｎや大型の貯留タンク８１、８２、・・・・、８ｎが設けられてもよい。
【００１４】
販売会社１は、良質水の販売を促進するため、インターネット６上にウェブサイトを開設する。これを実現するため、販売会社１のコンピュータは、販売対象となる良質水に関する水情報を蓄積する水情報データベースを有しており、この水情報データベースに蓄積された情報がウェブページに掲載される。このウェブページには、ユーザからの購入申し込みを受け付けるための画面や、輸送会社３に配達を指示するための画面も設けられる。
【００１５】
ウェブページに掲載される水情報としては、名水等の良質水の名称、取水場所、水源の水質、販売に供する良質水の水質、販売量、配達日、配達方法、販売価格等を含む。なお、「水源の水質」の欄は、当該良質水が公的に発表されている水道水の水質に関する基準、特に快適水質項目に掲げられた基準を満たしていることを示すために設けられ、同様に、「良質水の水質」の欄は当該良質水が「おいしい水」の基準や前記快適水質項目を満たしていることを示す。
【００１６】
図２の（ａ）および（ｂ）は、販売会社１が運営するウェブサイトにおける画面の例を示しており、（ａ）は販売会社１が販売する名水の水源の種類、名称、取水場所、含有ミネラル分、臭気強度、遊離炭酸、濁度およびｐＨ値をそれぞれ示しており、（ｂ）は、各種機能水および用途水の水源の種類、含有ミネラル分、臭気強度、遊離炭酸、濁度、ｐＨ値および特徴をそれぞれ示している。いずれの画面においても、「水源の種類」の欄の左側に設けられた丸印をクリックすると、その水源の写真や、水源での水質および良質水の水質に関する詳細な情報が画面上に表示される。
【００１７】
いずれかのユーザ４１〜４ｎ、５１〜５ｎ、例えばユーザ４１が良質水の購入を希望するとき、ユーザ４１は販売会社１が開設したウェブサイトにアクセスし、そのウェブページを閲覧する。例えば、図２の（ｂ）に示す画面を見て、購入すべき良質水を決定する。そこで、ユーザ４１は、購入したい良質水の名称、購入量、配達日、配達方法、代金支払い方法、要望事項等の所要の事項を販売会社１のウェブページの所定の画面に記入する。ユーザ４１からアップロードされた注文情報は、販売会社１のコンピュータの注文情報データベースに蓄積される。こうして、それぞれのユーザ４１〜４ｎ、５１〜５ｎ、からアップロードされた注文情報が販売会社１のデータベースに蓄積される。
【００１８】
販売会社１は、注文情報データベースに蓄積された注文情報に基づいて、ボトリング工場２に対し、インターネット６を介して電子メールで、良質水毎に、その名称、生産量、送り先、配達日、配達方法および要望事項を通知する。この電子メールは一定時間毎にまとめて送られるのでも、注文が入るたびに送られるのでもよい。
【００１９】
ボトリング工場２は、水源から搬入された水に対して殺菌、精密濾過等の所定の処理を施して良質水を予め生産して種々の容量の容器やタンク等に予め貯留しておく。同時に、ボトリング工場２は、生産した良質水毎に、その名称、その水源の水質、良質水の水質および生産量（または貯留量）をインターネットを通じて販売会社１に通知する。この通知は、電子メールを通じて、または、販売会社１が運営するウェブサイトの所定のページに書き込むことによって行われる。
【００２０】
なお、ボトリング工場２では注文を受けてから良質水を生産するようにしてもよい。このときには、ボトリング工場２は、販売会社１からの電子メールによる注文を受けて、水源から運び込まれた水に所定の処理を行って、注文された量の良質水を生産する。
【００２１】
さらに、ボトリング工場２は、インターネット６を介して、輸送会社３に対し、良質水の送り先、配達量、配達日、配達方法その他の必要事項を通知する。これを受けて、輸送会社３は指定された配達日に注文のあった量だけ配達できるよう準備する。輸送会社３からの配達を受けたユーザは、現金やクレジットカードによる支払、金融機関への振り込み等、所望の方法で代金支払を行う。
【００２２】
本発明に係る良質水販売システムを実際に運営するに際しては、まずインターネットを通じて個人や企業等の投資家から投資を募集する。こうして投資された資金で販売会社１及びボトリング工場２をを設立するとともに水利権や水源からの取水権を購入する。また、水利権や取水権を証券化して投資家を募集し、資金を集めて水利権や取水権を買収する。こうすると、投資家に、自分が投資した水源に対する愛着と保護意識とを持たせることができるので、水源の保護に資するところが大きい。また、良質水の販売利益の一部を水源の保護や開発に役立てることも可能である。
【００２３】
以上、本発明に係る良質水販売システムの一つの実施の形態を説明したが、本発明はこうした実施の形態に限定されるものではない。例えば、ユーザの注文情報の販売会社１への通知、販売会社１からボトリング工場２への通知、および、ボトリング工場２から輸送会社３への通知は、インターネット６に代えて、ファックスや電話等の他の伝達手段を用いることができる。また、販売会社１の運営するウェブページに、新たに開発する水源に対する投資の要請や、所要の水源にさらに投入すべき資金の募集を掲載する画面を含めるようにしてもよい。さらに、図１に示す実施の形態においては良質水の販売を会社が行うが、こうした組織形態に限られるわけではなく、公共事業体その他が販売主体になってもよい。
【００２４】
【発明の効果】
これまでの説明から明らかなように、本発明は、安全で良質の水を所望の量だけユーザに提供することができるという格別の効果を奏する。
【図面の簡単な説明】
【図１】本発明に係る良質水販売システムのひとつの実施の形態を概略的に示す図である。
【図２】（ａ）および（ｂ）は、図１の販売会社が運営するウェブサイトにおいて閲覧することができる画面の例を示す。
【符号の説明】
：１：販売会社、　２：ボトリング工場、　３：輸送会社、　４１〜４ｎ、５１〜５ｎ：ユーザ、　６；インターネット、　７１〜７ｎ、８１〜８ｎ：貯留タンク
【図１】
2004013515.tif 000003
【図２】
2004013515.tif 000004